(57)【要約】【課題】膝用サポーターを装着して膝を曲げる場合でも、弾性パッドが邪魔にならず、膝を曲げ易い膝用サポーターを提供する。【解決手段】膝に装着した際、膝の膝蓋骨の所に弾性体からなる弾性パッド１２が来るようにした膝用サポーター１であって、弾性パッド１２は、膝用サポーター１を膝に装着した際に膝蓋骨の上側に位置する上側弾性パッド１２ａと、その上側弾性パッド１２ａよりも下側であって膝蓋骨の左右両側それぞれに分割して位置する左下側弾性パッド１２ｂおよび右下側弾性パッド１２ｃの３つの弾性パッドに分割して構成されている。そのため、使用者が膝用サポーターを装着して膝を曲げる場合でも、弾性パッドが邪魔にならず、膝を曲げ易い膝用サポーター１を提供することができる。【選択図】図１
0003208786.tif 000002
【実用新案登録請求の範囲】
【請求項１】
膝に装着した際、膝の膝蓋骨の所に弾性体からなる弾性パッドが来るようにした膝用サポーターであって、前記弾性パッドは、分割して設けられていることを特徴とする膝用サポーター。
【請求項２】
請求項１に記載の膝用サポーターにおいて、
前記弾性パッドは、
当該膝用サポーターを膝に装着した際に膝蓋骨の上側に位置する上側弾性パッドと、その上側弾性パッドよりも下側であって膝蓋骨の左右両側それぞれに分割して位置する左下側弾性パッドおよび右下側弾性パッドの３つの弾性パッドに分割して構成されていることを特徴とする膝用サポーター。
【請求項３】
請求項２に記載の膝用サポーターにおいて、
前記上側弾性パッドと、前記左下側弾性パッドと、前記右下側弾性パッドとは、それぞれ、相互に隙間を開け、かつ、当該膝用サポーターを膝に装着した際に膝蓋骨の中心部分も開け、当該膝蓋骨の中心部分を囲むように設けられていることを特徴とする膝用サポーター。
【請求項４】
請求項２または請求項３に記載の膝用サポーターにおいて、
前記上側弾性パッドの下端部と前記左下側弾性パッドおよび前記右下側弾性パッドの上端部との間の隙間は、前記左下側弾性パッドの右端部と前記右下側弾性パッドの左端部との間の隙間よりも大きいことを特徴とする膝用サポーター。
【請求項５】
請求項２〜請求項４のいずれか一の請求項に記載の膝用サポーターにおいて、
前記上側弾性パッドの厚さは、前記左下側弾性パッドおよび右下側弾性パッドの厚さよりも薄いことを特徴とする膝用サポーター。
【考案の詳細な説明】
【技術分野】
【０００１】
本考案は、膝に装着した際、膝の膝蓋骨の所に弾性体からなる弾性パッドが来るようにした膝用サポーターに関する。
【背景技術】
【０００２】
従来の膝用サポーターとして、膝に装着した際に膝蓋骨の所に円環状の弾性体からなるリング状パッドを設けた膝用サポーターが提案されている（例えば、特許文献１参照。）。
【先行技術文献】
【特許文献】
【０００３】
【特許文献１】特開２００２−１０４４９１号公報
【考案の概要】
【考案が解決しようとする課題】
【０００４】
しかし、前記特許文献１に記載の膝用サポーターでは、リング状パッドは弾性体であるもののその伸びは膝用サポーターの生地よりも小さく、またリング状パッドは一体式で膝用サポーターを膝に装着した際に膝蓋骨の中心部を取囲む。
【０００５】
そのため、膝用サポーターを装着して膝を曲げる場合、リング状パッドが邪魔になり、膝が曲げ難くなる、という問題があった。
【０００６】
そこで、本考案はこのような問題点に鑑みなされたもので、膝用サポーターを装着して膝を曲げる場合でも、弾性パッドが邪魔にならず、膝を曲げ易い膝用サポーターを提供することを目的とする。
【課題を解決するための手段】
【０００７】
前記課題を解決するため、本考案に係る膝用サポーターでは、膝に装着した際、膝の膝蓋骨の所に弾性体からなる弾性パッドが来るようにした膝用サポーターであって、前記弾性パッドは、分割して構成されていることを第１の特徴とする。
また、本考案に係る膝用サポーターでは、前記弾性パッドは、当該膝用サポーターを膝に装着した際に膝蓋骨の上側に位置する上側弾性パッドと、その上側弾性パッドよりも下側であって膝蓋骨の左右両側それぞれに分割して位置する左下側弾性パッドおよび右下側弾性パッドの３つの弾性パッドに分割して構成されていることを第２の特徴とする。
また、本考案に係る膝用サポーターでは、前記上側弾性パッドと、前記左下側弾性パッドと、前記右下側弾性パッドとは、それぞれ、相互に隙間を開け、かつ、当該膝用サポーターを膝に装着した際に膝蓋骨の中心部分も開け、当該膝蓋骨の中心部分を囲むように設けられていることを第３の特徴とする。
また、本考案に係る膝用サポーターでは、前記上側弾性パッドの下端部と前記左下側弾性パッドおよび前記右下側弾性パッドの上端部との間の隙間は、前記左下側弾性パッドの右端部と前記右下側弾性パッドの左端部との間の隙間よりも大きいことを第４の特徴とする。
また、本考案に係る膝用サポーターでは、前記上側弾性パッドの厚さは、前記左下側弾性パッドおよび右下側弾性パッドの厚さよりも薄いことを第５の特徴とする。
【考案の効果】
【０００８】
本考案に係る膝用サポーターでは、膝に装着した際、膝の膝蓋骨の所に来る弾性パッドを分割して構成したため、膝を曲げる場合でも、弾性パッドが邪魔にならず、膝を曲げ易い膝用サポーターを提供することができる。
【図面の簡単な説明】
【０００９】
【図１】本考案に係る実施形態の膝用サポーターの平面図である。
【図２】本考案に係る実施形態の膝用サポーターにおける一部切欠平面図である。
【図３】図２におけるＡ−Ａ線断面図である。
【図４】本考案に係る実施形態の膝用サポーターで使用する弾性パッドを弾性パッド貼付け用裏布に貼り付けた状態を示す斜視図である。
【図５】（ａ），（ｂ）それぞれ本考案に係る実施形態の膝用サポーターで使用する弾性パッドを弾性パッド貼付け用裏布に貼り付けた状態を示す平面図、底面図である。
【図６】本考案に係る実施形態の膝用サポーターの使用状態を示す一部切欠斜視図である。
【考案を実施するための形態】
【００１０】
以下、本考案に係る実施形態の膝用サポーターについて、図面を参照しながら詳細に説明する。なお、下記に説明する実施形態はあくまで本考案の一例であり、本考案は下記の実施形態に限定されるものではなく、本考案の技術思想の範囲内で適宜変更可能である。
【００１１】
本考案に係る膝用サポーター１は、図１および図２に示すように、ユーザーの膝（ひざ）に装着した際、膝（ひざ）の膝蓋骨（さら）の所に弾性体からなる弾性パッド１２が来るようにしたもので、弾性パッド１２は分割して設けられていることを特徴とする。
【００１２】
サポーター本体１１の素材としては、ナイロンや、ポリエステル、ポリウレタン等の伸縮性に富んだ伸縮性繊維、または伸縮性繊維を極薄のスーパーハイゲージの特殊編み機によって編み込んだメッシュ編み素材であり、肌触りが良く、かつ、通気性、安定性、伸縮性に優れた周知の生地を使用している。
【００１３】
また、このサポーター本体１１には、図示はしていないが、脚の筋肉に沿った着圧ラインを入れており、スポーツ時における筋力補強効果かテーピング効果の双方を両立させている。例えば、膝の周りを安定させるサポート着圧ラインが側面から膝を安定的にサポートするので、足の踏み出しにも効果的である。また、膝の膝蓋骨（さら）を中心として筋肉に沿った着圧ラインによって、膝の運びや歩行を楽にすることができる。また、膝の下部にひざの曲げを考慮した着圧ラインによって、脛骨の出っ張りを安定させることが可能となり、ひざの曲げ伸ばしをスムーズにすることができる。ただし、サポーター本体１１に着圧ラインを設けることは、本考案では必須でない。
【００１４】
また、この膝用サポーター１をユーザーの膝（ひざ）に装着した際、膝裏には弾性パッド１２が来ず、メッシュ編み素材のサポーター本体１１が来るので、膝裏の通気性や肌触りが良い。また、サポーター本体１１の膝裏側にも筋肉に沿った着圧ラインが設けられているので、膝裏への着圧も可能となり、膝の曲げ伸ばしをスムーズに行うことが可能となる。ただし、サポーター本体１１の膝裏側に着圧ラインを設けることは、本考案では必須でない。
【００１５】
一方、弾性パッド１２の素材としては、例えば、熱可塑性エラストマー（ＴＰＥ）や、ウレタンゴム、シリコーンゴム、フッ素ゴム等の熱硬化性樹脂系エラストマー、さらには天然ゴム等のクッション性のある弾性体が使用可能であり、本実施形態では熱可塑性エラストマー（ＴＰＥ）を使用する。
【００１６】
そして本考案に係る膝用サポーター１では、弾性パッド１２を分割したことを特徴としており、本実施形態では、膝用サポーター１を、ユーザーの膝に装着した際に膝蓋骨の上側に位置する上側弾性パッド１２ａと、その上側弾性パッド１２ａよりも下側であって膝蓋骨の左右両側それぞれに分割して位置する左下側弾性パッド１２ｂおよび右下側弾性パッド１２ｃの３つの弾性パッド１２ａ〜１２ｃに分割して構成したことを特徴とする。
【００１７】
ここで、上側弾性パッド１２ａと、左下側弾性パッド１２ｂと、右下側弾性パッド１２ｃとは、それぞれ、相互に隙間を開け、かつ、当該膝用サポーター１を膝に装着した際に膝蓋骨の中心部分も開け、当該膝蓋骨の中心部分を囲むようにサポーター本体１１に配置している。
【００１８】
そのため、この膝用サポーター１を膝に装着して膝を曲げた際に、従来のように一体式のリング状パッドでは、リング状パッド自体が膝を曲げる際の抵抗となり、膝を曲げ難くしていたが、本考案に係る実施形態の膝用サポーター１では、膝蓋骨の中心部分を囲む弾性パッド１２が上側弾性パッド１２ａと、左下側弾性パッド１２ｂおよび右下側弾性パッド１２ｃの３つの弾性パッド１２ａ〜１２ｃに分割して構成されているので、弾性パッド１２が膝を曲げる際の抵抗になることを防止でき、膝を曲げる場合でも弾性パッド１２が邪魔にならず、膝を曲げ易い弾性パッド付きの膝用サポーター１を提供することができる。
【００１９】
また、この実施形態の膝用サポーター１では、熱可塑性エラストマー（ＴＰＥ）等の弾性体からなる弾性パッド１２が、上側弾性パッド１２ａと、左下側弾性パッド１２ｂと、右下側弾性パッド１２ｃとに分割されて、相互に隙間を開け、かつ、膝の膝蓋骨の中心部分を囲むようにサポーター本体１１に設けられるため、膝の膝蓋骨（さら）を３６０度支えることが可能となり、膝を効率良くサポートすることができる。
【００２０】
特に、上側弾性パッド１２ａ、左下側弾性パッド１２ｂおよび右下側弾性パッド１２ｃは、膝の膝蓋骨（さら）を囲むように配置されるので、膝の膝蓋骨（さら）を中心に固定作用を発揮し、３６０度フレキシブルに反応することが可能となり、膝がぶれず、膝の安定力を高めることができ、歩き出し等を向上させることができる。つまり、上側弾性パッド１２ａと、左下側弾性パッド１２ｂおよび右下側弾性パッド１２ｃとが、膝の膝蓋骨（さら）を囲むように配置されるので、膝の膝蓋骨（さら）を中心にしてサポートすることが可能となり、熱可塑性エラストマー（ＴＰＥ）等の弾性体からなる上側弾性パッド１２ａ、左下側弾性パッド１２ｂおよび右下側弾性パッド１２ｃが３６０度どの方向に伸びる特性で、膝の微妙な動きにも追従して、膝の安定力を高めることができ、歩き出し等を向上させることができる。
【００２１】
また、本実施形態では、図４や図５等に示すように、上側弾性パッド１２ａと、左下側弾性パッド１２ｂと、右下側弾性パッド１２ｃとが相互に隙間を開け、かつ、当該膝用サポーター１を膝に装着した際に膝蓋骨（さら）の中心部分を囲むように接着剤等により弾性パッド貼付け用裏布１１ａに貼付け、これらの弾性パッド１２ａ〜１２ｃが貼付けられた弾性パッド貼付け用裏布１１ａを、サポーター本体１１の膝蓋骨当て部の裏側に接着剤や、熱溶着、超音波溶着、さらには縫込み等の各種貼付け方法によって貼り付けている。
【００２２】
ただし、本実施形態では、サポーター本体１と弾性パッド貼付け用裏布１１ａとは上述の各種貼付け方法によって貼付けるが、弾性パッド１２ａ〜１２ｃとサポーター本体１とは貼付けない。つまり、弾性パッド１２ａ〜１２ｃは、その裏側が弾性パッド貼付け用裏布１１ａに貼付けているだけで、弾性パッド１２ａ〜１２ｃの表側はサポーター本体１と貼付けていない。
【００２３】
そのため、図６に示すように、この膝用サポーター１を膝に装着して膝を曲げた際に、サポーター本体１が弾性パッド１２ａ〜１２ｃよりも伸縮しても、弾性パッド１２ａ〜１２ｃとサポーター本体１とが貼り付けられていないので、弾性パッド１２ａ〜１２ｃがサポーター本体１１の自由な伸縮を阻害することがなくなると共に、サポーター本体１１における弾性パッド１２ａ〜１２ｃに対向する部分に皺等が残ることを防止でき、膝用サポーター１の外観も向上させることができる。
【００２４】
また、この実施形態の膝用サポーター１では、図５（ａ）等に示すように、上側弾性パッド１２ａの下端部と左下側弾性パッド１２ｂおよび右下側弾性パッド１２ｃの上端部との間の間隔Ｄ１は、左下側弾性パッド１２ｂの右端部と右下側弾性パッド１２ｃの左端部との間の間隔Ｄ２よりも大きくしている。
【００２５】
そのため、左下側弾性パッド１２ｂと右下側弾性パッド１２ｃとの間よりも、上側弾性パッド１２ａと左下側弾性パッド１２ｂおよび右下側弾性パッド１２ｃとの間の方が伸び易くなるので、この膝用サポーター１を膝に装着して膝を曲げた際に、弾性パッド１２が膝を曲げる際の抵抗になることをさらに防止でき、さらに膝を曲げ易い膝用サポーター１を提供することができる。
【００２６】
また、この実施形態の膝用サポーター１では、図５（ｂ）等に示すように、上側弾性パッド１２ａの厚さＴ１は、例えば、３ｍｍとする一方、左下側弾性パッド１２ｂおよび右下側弾性パッド１２ｃの厚さＴ２は、例えば、５ｍｍとしている。つまり、上側弾性パッド１２ａの厚さＴ１は、下側弾性パッド１２ｂおよび右下側弾性パッド１２ｃの厚さＴ２よりも薄くしている。
【００２７】
そのため、上側弾性パッド１２ａの厚さＴ１が下側弾性パッド１２ｂおよび右下側弾性パッド１２ｃの厚さＴ２よりも薄いので、上側弾性パッド１２ａを下側弾性パッド１２ｂおよび右下側弾性パッド１２ｃと同様に左右に分割しないでも、上側弾性パッド１２ａは下側弾性パッド１２ｂおよび右下側弾性パッド１２ｃよりも伸び易くなり、この膝用サポーター１を膝に装着して膝を曲げた際に、弾性パッド１２が膝を曲げる際の抵抗になることをさらに防止でき、さらに膝を曲げ易い膝用サポーター１を提供することができる。
【００２８】
その結果、実施形態の膝用サポーター１の弾性パッド１２は、弾性パッド１２を分割して当該膝蓋骨の中心部分を囲むように配置しただけでなく、さらに分割した弾性パッド１２同士の隙間（間隔）や厚さ、さらには貼付け方法も上述のように工夫しているので、膝の膝蓋骨（さら）に対する固定作用が３６０度ほぼ均等になると共に、サポーター本体１１の自由な伸縮も阻害しないので、膝をバランス良く、かつ、効果的にサポートすることできる。これにより、さらに膝がぶれなくなり、膝の安定力をさらに高めることが可能となり、歩き出し等のサポートもさらに向上させることができる。
【００２９】
尚、上記実施形態の説明では、弾性パッド１２を上側弾性パッド１２ａと、下側弾性パッド１２ｂと、右下側弾性パッド１２ｃとの３つに分割して説明したが、本考案では、これに限らず、上側弾性パッド１２ａと下側弾性パッドとの２分割だけでも良いし、また上側弾性パッド１２ａを左右にさらに分割して４分割で構成しても、さらにはそれ以外の個数に分割しても勿論良い。
【００３０】
また、上記実施形態の説明では、分割して構成された上側弾性パッド１２ａと、下側弾性パッド１２ｂと、右下側弾性パッド１２ｃとは、互いに一定の隙間Ｄ１、Ｄ２を開けて配置して説明したが、本考案では、分割して構成された上側弾性パッド１２ａと、下側弾性パッド１２ｂと、右下側弾性パッド１２ｃ等は、隙間を開けずに設けるようにしても良い。
【００３１】
また、上記実施形態の説明では、膝用サポーター１は、円筒（スリーブ）状のサポーター本体１１に分割した弾性パッド１２ａ〜１２ｃを設けて説明したが、本考案では、これに限らず、背景技術の欄で説明した特許文献１の膝用サポーターのようにベルト式の膝用サポーターに分割した弾性パッド１２ａ〜１２ｃを設けるようにしても勿論良い。
【符号の説明】
【００３２】
１  膝用サポーター
１１  サポーター本体
１１ａ  弾性パッド貼付け用裏布
１２  弾性パッド
１２ａ  上側弾性パッド
１２ｂ  左下側弾性パッド
１２ｃ  右下側弾性パッド
【図１】
0003208786.tif 000003
【図２】
0003208786.tif 000004
【図３】
0003208786.tif 000005
【図４】
0003208786.tif 000006
【図５】
0003208786.tif 000007
【図６】
0003208786.tif 000008